(57)【要約】  過去の動画を参照して撮影を適正に行わせることが可能な撮影用コンソールを提供する。  撮影用コンソール２は、動画を表示可能な表示手段２４と、実施される撮影に関する、少なくとも患者の情報Ｐ２〜Ｐ６と撮影部位Ｐ７、Ｐ８の情報が指定された撮影オーダー情報に基づいて制御を行う制御手段２１と、を備え、制御手段２１は、撮影オーダー情報を入手し、又は撮影オーダー情報が入力されると、その時点で、当該撮影オーダー情報が動画の撮影を指定する撮影オーダー情報である場合には、当該撮影オーダー情報に指定されている患者の情報Ｐ２〜Ｐ６又は撮影部位の情報Ｐ７、Ｐ８の少なくとも１つの情報に基づいて、当該患者を撮影した過去の動画又は当該撮影部位を撮影した過去の動画を入手して、表示手段２４上に入手した過去の動画を表示させる。
2017017985.tif 000002
【特許請求の範囲】
【請求項１】
動画を表示可能な表示手段と、
実施される撮影に関する、少なくとも患者の情報と撮影部位の情報が指定された撮影オーダー情報に基づいて制御を行う制御手段と、
を備え、
前記制御手段は、前記撮影オーダー情報を入手し、又は前記撮影オーダー情報が入力されると、その時点で、当該撮影オーダー情報が動画の撮影を指定する撮影オーダー情報である場合には、当該撮影オーダー情報に指定されている前記患者の情報又は前記撮影部位の情報の少なくとも１つの情報に基づいて、当該患者を撮影した過去の動画又は当該撮影部位を撮影した過去の動画を入手して、前記表示手段上に入手した過去の動画を表示させることを特徴とする撮影用コンソール。
【請求項２】
前記制御手段は、前記過去の動画の代わりに、当該過去の動画のうち所定の割合でデータが間引きされた過去の動画のデータを入手して、前記表示手段上に当該間引きされた過去の動画のデータを表示させることを特徴とする請求項１に記載の撮影用コンソール。
【請求項３】
前記制御手段は、前記過去の動画の代わりに、当該過去の動画に付帯されている解析結果又は情報を入手して、前記表示手段上に当該過去の動画の前記解析結果又は前記情報を表示させることを特徴とする請求項１に記載の撮影用コンソール。
【請求項４】
請求項３に記載の撮影用コンソールと、
被写体を介して半導体イメージセンサーに放射線を照射する放射線源と、
被写体を透過した放射線をその強度に応じて検出し、検出した放射線を画素ごとに電気信号に変換して蓄積する放射線検出部と、
前記放射線検出部の各画素に蓄積された電気信号を読み取って画像データを取得する読取制御装置と、
を備え、
前記撮影用コンソールの前記制御手段は、前記過去の動画に付帯されている前記解析結果又は前記情報に基づいて前記放射線源に設定すべき放射線照射条件を割り出して、前記放射線源を制御する放射線照射制御装置、前記放射線検出部及び前記読取制御装置に設定することを特徴とする放射線画像撮影システム。
【発明の詳細な説明】
【技術分野】
【０００１】
本発明は、撮影用コンソール及び放射線画像撮影システムに関する。
【背景技術】
【０００２】
ＦＰＤ（flat panel detector）等の半導体イメージセンサーは従来のフィルム／スクリーンや輝尽性蛍光体プレート等に代わって放射線の静止画撮影用の装置として開発されてきたが、このような半導体イメージセンサーを利用して撮影部位（検査対象部位）の動態画像を撮影し、診断に応用する試みがなされるようになってきている（例えば特許文献１、２等参照）。【０００３】
具体的には、半導体イメージセンサーの画像データの読み出しと残存電荷リセットの応答性の早さを利用し、半導体イメージセンサーの読取・消去のタイミングと合わせて放射線源からパルス状の放射線を連続照射し、通常１秒間に複数回の撮影を行って、撮影部位の動態を撮影する。撮影により取得された一連の複数枚の画像や、それらの解析結果を重ね合わせた画像を順次表示する等することにより、医師は撮影部位の一連の動きを認識することが可能となる。【０００４】
そして、動態撮影については、撮影を適正に行うための技術がいくつか提案されている。例えば特許文献１では、本撮影前にプレ撮影を行い、プレ撮影時の複数の動態画像を画像解析して、本撮影時の撮影条件を算出し、算出された撮影条件に基づいて本撮影を行わせるシステムが記載されている。また、特許文献２では、過去の撮影に基づいて今回の撮影における、連続する呼吸動作の中で撮影に適切なタイミングをユーザーに通知する等して、撮影を適正に行うことができるように誘導するシステムが記載されている。
【先行技術文献】
【特許文献】
【０００５】
【特許文献１】特開２０１１−１５２１５４号公報
【特許文献２】国際公開第２０１３／０５８０５５号
【特許文献３】特開２０１３−０４８７４６号公報
【発明の概要】
【発明が解決しようとする課題】
【０００６】
ところで、上記の半導体イメージセンサーを用いて単純撮影（一般撮影等ともいう。すなわち放射線源から放射線を１回照射して１枚の画像を撮影する撮影）のように歴史が長く、診断用の画像としてどのような画像がよいか等が確立されている分野では、例えば特許文献３に記載されているように、過去の撮影のうち適正に行われた撮影における撮影条件を抽出して今回の撮影に適用することで撮影を適正に行わせるように構成することが可能である。【０００７】
しかしながら、上記のような動態解析の技術、すなわち半導体イメージセンサーを用いて被写体の撮影部位の動態画像を撮影して診断に応用することを試みる技術は、歴史が浅い新しい検査方法であるため、現状では、診断用の画像としてどのような画像がよいか等を表すリファレンスとなるものが確立されている（或いは存在している）とは言えない状況にある。【０００８】
本発明は、上記の点を鑑みてなされたものであり、過去の動画等をリファレンスとして撮影を適正に行わせることが可能な撮影用コンソール及び放射線画像撮影システムを提供することを目的とする。
【課題を解決するための手段】
【０００９】
前記の問題を解決するために、本発明の撮影用コンソールや放射線画像撮影システムは、
動画を表示可能な表示手段と、
実施される撮影に関する、少なくとも患者の情報と撮影部位の情報が指定された撮影オーダー情報に基づいて制御を行う制御手段と、
を備え、
制御手段は、撮影オーダー情報を入手し、又は撮影オーダー情報が入力されると、その時点で、当該撮影オーダー情報が動画の撮影を指定する撮影オーダー情報である場合には、当該撮影オーダー情報に指定されている患者の情報又は撮影部位の情報の少なくとも１つの情報に基づいて、当該患者を撮影した過去の動画又は当該撮影部位を撮影した過去の動画を入手して、表示手段上に入手した過去の動画を表示させることを特徴とする。
【発明の効果】
【００１０】
本発明のような方式のコンソールや放射線画像撮影システムによれば、過去の動画等をリファレンスとして撮影を適正に行わせることが可能となる。
【図面の簡単な説明】
【００１１】
【図１】医療情報管理システムの構成を表す図である。
【図２】本実施形態に係る放射線画像撮影システムの一例の構成を表す図である。
【図３】撮影用コンソールの制御部で実行される撮影制御処理を示すフローチャートである。
【図４】診断用コンソールの制御部で実行される画像解析処理を示すフローチャートである。
【図５】１つの呼吸サイクルにおいて撮影された複数の時間位相のフレーム画像を表す図である。
【図６】横隔膜の上下方向の高さの時間変化を表すグラフである。
【図７】撮影用コンソールの構成例を表す図である。
【図８】撮影オーダー情報の一例を表す図である。
【発明を実施するための形態】
【００１２】
以下、本発明に係る撮影用コンソール及び放射線画像撮影システムの実施の形態について、図面を参照して説明する。ただし、本発明は図示例のものに限定されるものではない。
【００１３】
なお、以下では、動画撮影が動態撮影である場合について説明するが、本発明は、これに限らず、例えばトモシンセシス撮影のように複数の画像（フレーム画像）を時間的に連続して撮影する他の動画撮影の場合にも適用可能である。また、この場合の動画の撮像行為はいわば制約付き動画撮影と言ってよいものであり、その制約とは時間の制限であったり、表示のリアルタイム性を保証しない点で制約のない通常の動画撮影とは異なっている。
【００１４】
本実施形態に係る放射線画像撮影システム１００は、例えば図１に示すように、ネットワークＮを介して、ＨＩＳ（Hospital Information System；病院情報システム）４やＲＩＳ（Radiology Information System；放射線科情報システム）５、ＰＡＣＳ（Picture Archiving and Communication System）６等の外部システム、サーバー等の外部コンピューター７で構成される医療情報管理システム１に接続され、或いは医療情報管理システム１の一部として構成されている。
【００１５】
［放射線画像撮影システムの構成について］
次に、本実施形態に係る放射線画像撮影システム１００の一例として動態画像撮影を行う場合について説明する。図２に、この場合の放射線画像撮影システム１００の構成例を示す。図２に示すように、放射線画像撮影システム１００は、撮影技師が撮影に用いる撮影用コンソール２や、医師が診断に用いる診断用コンソール３を備えている。そして、撮影装置１０と、撮影用コンソール２とが通信ケーブル等により接続され、撮影用コンソール２と、診断用コンソール３とがＬＡＮ（Local Area Network）等の通信ネットワークＮＴを介して接続されて構成されている。
【００１６】
［撮影装置１０の構成］
撮影装置１０は、例えば、呼吸運動に伴う肺の膨張及び収縮の形態変化、心臓の拍動等の、周期性（サイクル）を持つ胸部の動態を撮影する装置である。動態撮影は、人体の胸部に対し、Ｘ線等の放射線を連続照射して複数の画像を取得（即ち、連続撮影）することにより行う。この連続撮影により得られた一連の画像を動態画像と呼ぶ。また、動態画像を構成する複数の画像のそれぞれをフレーム画像と呼ぶ。
【００１７】
なお、本実施形態に係る放射線画像撮影システム１００では、上記のように肺や心臓等の動態以外にも、例えば人体の関節部分の屈伸動作を動態撮影する等して、関節部分の屈伸機能解析処理等を行うように構成することも可能である。
【００１８】
撮影装置１０は、図２に示すように、放射線源１１、放射線照射制御装置１２、放射線検出部１３、読取制御装置１４、サイクル検出センサー１５、サイクル検出装置１６等を備えて構成されている。なお、放射線検出部１３と読取制御装置１４を一体的に構成すること（すなわち放射線検出部１３が読取制御装置１４を内包するように構成すること）も可能である。
【００１９】
放射線源１１は、放射線照射制御装置１２の制御に従って、被写体Ｍに対し放射線（Ｘ線）を照射する。放射線照射制御装置１２は、撮影用コンソール２に接続されており、撮影用コンソール２から入力された放射線照射条件に基づいて放射線源１１を制御して放射線撮影を行う。撮影用コンソール２から入力される放射線照射条件は、例えば、連続照射時のパルスレート、パルス幅、パルス間隔、撮影開始／終了タイミング、Ｘ線管電流の値、Ｘ線管電圧の値、フィルター種等である。パルスレートは、１秒あたりの放射線照射回数であり、後述するフレームレートと一致している。パルス幅は、放射線照射１回当たりの放射線照射時間である。パルス間隔は、連続撮影において、１回の放射線照射開始から次の放射線照射開始までの時間であり、後述するフレーム間隔と一致している。
【００２０】
放射線検出部１３は、ＦＰＤ等の半導体イメージセンサーにより構成される。ＦＰＤは、例えば、ガラス基板等を有しており、基板上の所定位置に、放射線源１１から照射されて少なくとも被写体Ｍを透過した放射線をその強度に応じて検出し、検出した放射線を電気信号に変換して蓄積する複数の画素がマトリックス状に配列されている。各画素は、例えばＴＦＴ（Thin Film Transistor）等のスイッチング部により構成されている。
【００２１】
読取制御装置１４は、撮影用コンソール２に接続されている。読取制御装置１４は、撮影用コンソール２から入力された画像読取条件に基づいて放射線検出部１３の各画素のスイッチング部を制御して、当該各画素に蓄積された電気信号の読み取りをスイッチングしていき、放射線検出部１３に蓄積された電気信号を読み取ることにより、画像データを取得する。この画像データがフレーム画像である。そして、読取制御装置１４は、取得したフレーム画像を撮影用コンソール２に出力する。
【００２２】
画像読取条件は、例えば、フレームレート（或いはフレーム間隔）、画素サイズ、画像サイズ（マトリックスサイズ）等である。フレームレートは、１秒あたりに取得するフレーム画像数であり、パルスレートと一致している。フレーム間隔は、連続撮影において、１回のフレーム画像の取得動作開始から次のフレーム画像の取得動作開始までの時間であり、パルス間隔と一致している。
【００２３】
ここで、放射線照射制御装置１２と読取制御装置１４は互いに接続されており、互いに同期信号をやりとりして放射線照射動作と画像の読み取りの動作を同調させるようになっている。
【００２４】
サイクル検出センサー１５は、被写体Ｍの呼吸運動の状態を検出して検出情報をサイクル検出装置１６に出力する。サイクル検出センサー１５としては、例えば、呼吸モニターベルト、ＣＣＤ（Charge Coupled Device）カメラ、光学カメラ、スパイロメーター等を適用することができる。
【００２５】
サイクル検出装置１６は、サイクル検出センサー１５により入力された検出情報に基づいて、呼吸サイクル数、及び現在呼吸運動の１サイクル中のどの状態であるか（例えば、吸気、吸気から呼気の変換点、呼気、呼気から吸気の変換点のどの状態か）を検出し、検出結果（サイクル情報）を撮影用コンソール２の制御部２１に出力する。サイクル検出装置１６は、例えば、サイクル検出センサー１５（呼吸モニターベルト、ＣＣＤカメラ、光学カメラ、スパイロメーター等）により肺の状態が吸気から呼気への変換点であることを示す検出情報が入力されたタイミングを１サイクルの基点とし、次にこの状態が検出されるタイミングまでの間を１サイクルとして認識する。
【００２６】
［撮影用コンソール２の構成］
次に、撮影用コンソール２の一般的な構成について説明する。本実施形態に係る撮影用コンソール２の詳しい構成等については後で説明する。
【００２７】
撮影用コンソール２は、放射線照射条件や画像読取条件を撮影装置１０に出力して撮影装置１０による放射線撮影及び放射線画像の読み取り動作を制御するとともに、撮影装置１０により取得された動態画像を撮影技師によるポジショニングの確認や診断に適した画像であるか否かの確認用に表示する。
【００２８】
撮影用コンソール２は、図２に示すように、制御部２１、記憶部２２、操作部２３、表示部２４、通信部２５を備えて構成され、各部はバス２６により接続されている。
【００２９】
制御部２１は、ＣＰＵ（Central Processing Unit）、ＲＡＭ（Random Access Memory）等により構成される。制御部２１のＣＰＵは、操作部２３の操作に応じて、記憶部２２に記憶されているシステムプログラムや各種処理プログラムを読み出してＲＡＭ内に展開し、展開されたプログラムに従って後述する撮影制御処理を始めとする各種処理を実行し、撮影用コンソール２各部の動作や、撮影装置１０の放射線照射動作及び読み取り動作を集中制御する。
【００３０】
記憶部２２は、不揮発性の半導体メモリーやハードディスク等により構成される。記憶部２２は、制御部２１で実行される各種プログラムやプログラムにより処理の実行に必要なパラメーター、或いは処理結果等のデータを記憶する。例えば、記憶部２２は、図３に示す撮影制御処理を実行するための撮影制御処理プログラムを記憶している。また、記憶部２２は、検査対象部位に対応付けて放射線照射条件及び画像読取条件を記憶している。各種プログラムは、読取可能なプログラムコードの形態で格納され、制御部２１は、当該プログラムコードに従った動作を逐次実行する。
【００３１】
操作部２３は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。また、操作部２３は、表示部２４の表示画面にタッチパネルを備えても良く、この場合、タッチパネルを介して入力された指示信号を制御部２１に出力する。
【００３２】
表示部２４は、ＬＣＤ（Liquid Crystal Display）やＣＲＴ（Cathode Ray Tube）等のモニターにより構成され、制御部２１から入力される表示信号の指示に従って、動態画像を再生して表示したり、各種のデータや、操作部２３から入力された指示内容等を表示する。
【００３３】
通信部２５は、ＬＡＮアダプターやモデムやＴＡ（Terminal Adapter）等を備え、通信ネットワークＮＴに接続された各装置との間のデータ送受信を制御する。
【００３４】
［診断用コンソール３の構成］
診断用コンソール３は、撮影用コンソール２から動態画像を取得し、取得した動態画像を表示して医師が読影診断するための動画像処理装置である。なお、撮影用コンソール２から動態画像が一旦ＰＡＣＳ（Picture Archiving and Communication System）等の外部システムに送られた後で診断用コンソール３が外部システムから動態画像を取得するような場合もある。また、撮影用コンソール２と診断用コンソール３が一体化されている、すなわち１台の装置が撮影用コンソール２も診断用コンソール３も兼ねるように構成される場合もある。
【００３５】
診断用コンソール３は、図２に示すように、制御部３１、記憶部３２、操作部３３、表示部３４、通信部３５を備えて構成され、各部はバス３６により接続されている。
【００３６】
制御部３１は、ＣＰＵ、ＲＡＭ等により構成される。制御部３１のＣＰＵは、操作部３３の操作に応じて、記憶部３２に記憶されているシステムプログラムや、各種処理プログラムを読み出してＲＡＭ内に展開し、展開されたプログラムに従って、後述する画像解析処理を始めとする各種処理を実行し、診断用コンソール３各部の動作を集中制御する。制御部３１は、後述する画像解析処理を実行することにより画像解析手段を実現する。
【００３７】
記憶部３２は、不揮発性の半導体メモリーやハードディスク等により構成される。記憶部３２は、制御部３１で画像解析処理を実行するための画像解析処理プログラムを始めとする各種プログラムやプログラムにより処理の実行に必要なパラメーター、或いは処理結果等のデータを記憶する。これらの各種プログラムは、読取可能なプログラムコードの形態で格納され、制御部３１は、当該プログラムコードに従った動作を逐次実行する。
【００３８】
操作部３３は、カーソルキー、数字入力キー、及び各種機能キー等を備えたキーボードと、マウス等のポインティングデバイスを備えて構成され、キーボードに対するキー操作やマウス操作により入力された指示信号を制御部３１に出力する。また、操作部３３は、表示部３４の表示画面にタッチパネルを備えても良く、この場合、タッチパネルを介して入力された指示信号を制御部３１に出力する。
【００３９】
表示部３４は、ＬＣＤやＣＲＴ等のモニターにより構成され、制御部３１から入力される表示信号の指示に従って、動態画像を再生して表示したり、各種のデータや、操作部３３から入力された指示内容等を表示する。
【００４０】
通信部３５は、ＬＡＮアダプターやモデムやＴＡ等を備え、通信ネットワークＮＴに接続された各装置との間のデータ送受信を制御する。
【００４１】
［放射線画像撮影システム１００の動作］
次に、上記放射線画像撮影システム１００における動作について説明する。
【００４２】
［撮影装置１０、撮影用コンソール２の動作］
まず、撮影装置１０による撮影動作、及び撮影が行われる際の撮影用コンソール２による一般的な撮影動作について説明する。図３に、撮影用コンソール２の制御部２１において実行される撮影制御処理を示す。撮影制御処理は、制御部２１と記憶部２２に記憶されている撮影制御処理プログラムとの協働により実行される。
【００４３】
まず、撮影用コンソール２の操作部２３が前述したＲＩＳ４（図１参照）から撮影オーダー情報（後述する図８参照）を取得する等して、撮影対象（被写体Ｍ）の患者情報（患者の氏名、年齢、性別等）等の撮影用コンソール２への入力が行われる（ステップＳ１）。次いで、放射線照射条件が記憶部２２から読み出されて放射線照射制御装置１２に設定されるとともに、画像読取条件が記憶部２２から読み出されて読取制御装置１４に設定される（ステップＳ２）。
【００４４】
次いで、動態撮影は、例えば以下のようにして行われる。すなわち、撮影技師により放射線照射制御装置１２（図２参照）の図示しない曝射スイッチが操作されて放射線照射指示が入力されると（ステップＳ３；ＹＥＳ）、サイクル検出装置１６にサイクル検出開始の指示が出力され、サイクル検出センサー１５及びサイクル検出装置１６による被写体Ｍの呼吸運動のサイクル検出が開始される（ステップＳ４）。そして、動態撮影が行われ（ステップＳ５）、例えばサイクル検出装置１６により予め定められた動態サイクル数が検出されると、撮影動作が停止される。
【００４５】
撮影により取得されたフレーム画像は順次撮影用コンソール２に入力され、撮影順を示す番号と対応付けて記憶部２２に記憶されるとともに（ステップＳ６）、表示部２４に表示される（ステップＳ７）。撮影技師は、表示された動態画像によりポジショニング等を確認し、撮影により診断に適した画像が取得された（撮影成功）か、再撮影が必要（撮影失敗）か、を判断する。そして、操作部２３を操作して、判断結果を入力する。
【００４６】
操作部２３の所定の操作により撮影ＯＫを示す判断結果が入力されると（ステップＳ８；ＹＥＳ）、動態撮影で取得された一連のフレーム画像のそれぞれに、動態画像を識別するための識別ＩＤや、患者情報、検査対象部位、放射線照射条件、画像読取条件、撮影順を示す番号、サイクル情報等の情報が付帯され（例えば画像データのヘッダー領域に書き込まれ）、通信部２５を介して診断用コンソール３に送信される（ステップＳ９）。そして、本処理は終了する。一方、操作部２３の所定の操作により撮影ＮＧを示す判断結果が入力されると（ステップＳ８；ＮＯ）、記憶部２２に記憶された一連のフレーム画像が削除される（ステップＳ１０）。
【００４７】
そして、再撮影の要否が判断され（ステップＳ１１）、再撮影が必要であると撮影技師が判断した場合には（ステップＳ１１；ＹＥＳ）、ステップＳ２以下の各処理が行われ、再撮影は不要であると判断した場合には（ステップＳ１１；ＮＯ）、本処理は終了する。
【００４８】
［診断用コンソール３の動作］
次に、診断用コンソール３における動作について説明する。診断用コンソール３においては、通信部３５を介して撮影用コンソール２から動態画像の一連のフレーム画像が受信されると、制御部３１と記憶部３２に記憶されている画像解析処理プログラムとの協働により図４に示す画像解析処理が実行される。
【００４９】
なお、診断用コンソール３で、必ずしも換気解析処理と肺血流解析処理の両方を行うように構成する必要はなく、いずれか一方の処理、或いは、それら以外の、例えば前述した人体の関節部分の屈伸機能解析処理等を行うように構成することも可能である。また、画像解析処理における換気解析処理や肺血流解析処理については、特開２０１０−２６８９７９号公報等に詳述されているため、詳しくは同文献等を参照されたい。
【００５０】
以下、画像解析処理で換気解析処理（ステップＳ１２）を行う場合について簡単に説明する。
【００５１】
例えば、換気解析処理（ステップＳ１２）では、肺野を撮影した胸部動態画像から、横隔膜の上下方向の高さが指標の値として算出される。横隔膜は、その上下運動によって肺の呼吸運動を促すものである。例えば図５に示す、１つの呼吸サイクルにおいて撮影された複数の時間位相Ｔ（Ｔ＝ｔ０〜ｔ６）のフレーム画像に示されるように、呼吸サイクルは、横隔膜の位置が上がる呼気期（Ｔ＝ｔ０〜ｔ３）と横隔膜の位置が下がる吸気期（Ｔ＝ｔ３〜ｔ６）により構成される。このように、胸部動態画像において、横隔膜の上下方向の動きは肺の呼吸運動を示す指標となり、横隔膜の上下方向の高さは肺の呼吸運動を示す指標の値（以下、指標値という。）となる。
【００５２】
そして、図５からも分かるように、各フレーム画像で、肺尖の上下位置は呼気期でも吸気期でもほとんど変わらない。そのため、指標値としての横隔膜の上下方向の高さを、肺尖と横隔膜の垂直方向の距離Ｄとして表すことができる。そして、例えば図６に示すように、横軸を時間ｔとしてこの距離Ｄをプロットすることで、横隔膜の上下方向の高さＤの時間変化を取得することができる。
【００５３】
また、この呼吸運動を示す指標値としての横隔膜の上下方向の高さＤに基づいて、例えば肺野領域Ｒ（図５参照）内で換気機能に異常があるか否か等を診断することができる。また、説明を省略した、肺血流解析処理（ステップＳ１３）では、心臓の拍動を示す指標値としての心臓壁の位置の時間変化や、それに基づいて肺血流に異常があるか否か等を診断することが可能となるが、これらの点については、前述した特開２０１０−２６８９７９号公報等を参照されたい。
【００５４】
そして、これらの解析結果は、上記の動態画像のデータに付帯されて、例えばＰＡＣＳ６（図１参照）等に保存される。
【００５５】
［本実施形態に係る撮影用コンソール２の構成等について］
以下、本実施形態に係る撮影用コンソール２の構成について説明する。また、本実施形態に係る撮影用コンソール２の作用についてもあわせて説明する。
【００５６】
撮影用コンソール２は、図７に示すように制御手段や入力手段、表示手段を有している。なお、撮影用コンソール２を、例えばいわゆるノート型やタブレット型のコンピューターとして構成することも可能である。そして、図２に示した例では、ＣＰＵ等からなる制御部２１が制御手段に相当し、マウスやキーボード等の操作部２３が入力手段に相当し、表示部３４が表示手段に相当するため、以下、図７に示すように、制御手段２１、入力手段２３、表示手段２４として説明する。
【００５７】
前述したように、撮影技師は、撮影を行う際、撮影対象（被写体Ｍ）の患者情報等の入力を行い（図３のステップＳ１参照）、また、撮影用コンソール２は、放射線照射制御装置１２に対して放射線照射条件を設定するが、これらは、通常、撮影オーダー情報に基づいて行われる。
【００５８】
撮影オーダー情報は、例えば図８に例示するように、患者情報としての「患者ＩＤ」Ｐ２、「患者氏名」Ｐ３、「性別」Ｐ４、「年齢」Ｐ５、「診療科」Ｐ６や、撮影部位情報としての「撮影部位」Ｐ７や「撮影方向」Ｐ８等で構成されている。そして、例えば、撮影オーダーを受け付けた順に、各撮影オーダー情報に対して「撮影オーダーＩＤ」Ｐ１が自動的に割り当てられる。
【００５９】
なお、図８の例では、撮影オーダーＩＤが「００１」の撮影オーダー情報において「動態」と指定されていることから分かるように、撮影オーダーＩＤ「００１」の撮影オーダー情報が動画の撮影（この場合は動態撮影）を指定する撮影オーダーである場合が示されている。例えば、撮影がトモシンセシス撮影である場合には、その旨が撮影オーダー情報中に指定される。なお、図８に示した撮影オーダーＩＤ「００２」、「００３」は胸部側面や腹部正面の単純撮影を指定する撮影オーダー情報である。
【００６０】
撮影用コンソール２の制御手段２１は、放射線照射制御装置１２に対して放射線照射条件を設定する際には、撮影技師により選択された撮影オーダー情報に指定されている撮影部位に基づいて（患者情報も参照する場合がある。）、前述したパルスレートやＸ線管電圧等の放射線照射条件を設定して放射線照射制御装置１２を制御して、放射線源１１からの放射線照射を制御する。
【００６１】
一方、撮影に先立って（撮影直前である場合だけでなく前日であってもよい。）、実施する撮影に関する撮影オーダー情報をＲＩＳ４（図１参照）等から取得する。また、撮影技師が、撮影オーダー情報を撮影用コンソール２に直接入力する場合もある。なお、撮影用コンソール２がＲＩＳクライアントとしても機能している場合は、入力された撮影オーダー情報がＲＩＳ４等に送信されて登録される。
【００６２】
ここまでは、動画の撮影の場合に限らず、単純撮影の場合でも行われる一般的な操作であるが、本実施形態では、撮影用コンソール２の制御手段２１は、上記のようにしてＲＩＳ４等から撮影オーダー情報を入手し、或いは撮影技師により撮影オーダー情報が直接入力されると、その撮影オーダー情報が動画の撮影を指定する撮影オーダー情報（すなわち図８に示したように「動態」等が指定されている撮影オーダー情報）であるか否かを判断する。
【００６３】
そして、撮影用コンソール２の制御手段２１は、撮影オーダー情報が動画の撮影を指定する撮影オーダー情報である場合には、その時点で、当該撮影オーダー情報に指定されている患者情報や撮影部位情報に基づいて、当該患者の当該撮影部位を撮影した過去の動画を例えばＰＡＣＳ６（図１参照）から入手する。そして、撮影技師の操作に応じて表示手段２４上にこの過去の動画を表示させるようになっている。
【００６４】
このように構成すれば、撮影技師が、撮影用コンソール２の表示手段２４上に再生されて表示された過去の動画を見て、例えば患者の呼吸が浅く、前述した肺の換気機能（図５参照）の検査を行いづらいと判断した場合には、撮影時に患者に「深く呼吸してください。」等の指示を行うことが可能となる。
【００６５】
或いは、撮影技師が、過去の動画に見て、例えば、上記のように撮影用コンソール２が放射線照射制御装置１２に対して設定するＸ線管電圧の値を高くするように変更して設定する等の操作を行うことも可能である。
【００６６】
［効果］
以上のように、本実施形態に係る撮影用コンソール２によれば、制御手段２１が、撮影に先立って、撮影オーダー情報を入手し、或いは入力された時点で、撮影オーダー情報に指定された患者の撮影部位を撮影した過去の動画を入手して表示手段２４上で再生させて表示するため、撮影技師が、表示された過去の動画をリファレンスとすることが可能となり、過去の動画をリファレンスとして参照して、過去の撮影でうまく行かなかった点を的確にフィードバックする等して、今回の撮影をより適正に行わせることが可能となる。
【００６７】
また、前述した特許文献１に記載されているように、本撮影前にプレ撮影を行って撮影を適正に行うように構成すると、プレ撮影を行う分、患者の被曝線量が多くなってしまう虞れがあるが、本実施形態では、このようなプレ撮影を行わず、既に行われた過去の動画をリファレンスとして参照するため、患者の被曝線量が多くなる等の問題が生じることを的確に回避することが可能となる。
【００６８】
さらに、本実施形態では、撮影用コンソール２の制御手段２１が、ＲＩＳ４（図１参照）等から撮影オーダー情報を入手した場合だけでなく、撮影用コンソール２に撮影オーダー情報が入力された時点で、撮影オーダー情報に指定されている患者の情報や撮影部位の情報に基づいて過去の動画を入手して表示手段２４上に入手した過去の動画を表示させる。
【００６９】
例えば動態撮影等を緊急に行わなければならない場合に、撮影用コンソール２に入力された撮影オーダー情報を、一旦ＲＩＳ４に送信して登録した後、ＲＩＳ４から改めてその撮影オーダー情報を入手するのでは時間がかかり、過去の動画を入手して表示手段２４上に表示するまでに時間がかかってしまうが、上記のように撮影用コンソール２に撮影オーダー情報が入力された場合にはその時点で過去の動画を入手することで、表示手段２４上に過去の動画を速やかに表示することが可能となり、緊急に動態撮影等を行わなければならないような場合にも対処することができる。
【００７０】
以下、上記の実施形態を応用した構成例について説明する。
【００７１】
［構成例１］
例えば、動画の撮影を行う対象の患者について、過去に当該患者を撮影した動画がない場合や、当該患者を撮影した動画はあるが少なくとも同じ撮影部位を撮影した動画がない場合等には、例えば、撮影オーダー情報に指定された撮影部位を撮影した他の患者の動画を撮影用コンソール２が入手するように構成することが可能である。
【００７２】
このように構成すれば、当該患者の動画ではないが、少なくともその撮影部位を撮影する際にどのような問題が生じる可能性があるかを撮影技師が的確に認識して撮影を行うことが可能となり、過去の動画での問題点を的確にフィードバックして今回の撮影をより適正に行わせることが可能となる。
【００７３】
また、上記の場合、例えば当該患者の他の撮影部位を撮影した動画を撮影用コンソール２が入手するように構成することも可能である。このように構成すれば、当該患者に対して動画を撮影する際にどのような問題が生じる可能性があるかを撮影技師が的確に認識して撮影を行うことが可能となり、過去に動画の撮影を行う際に問題となった点を的確にフィードバックして今回の撮影をより適正に行わせることが可能となる。
【００７４】
［構成例２］
また、動画のデータ量はギガバイトのレベルになり、例えばＰＡＣＳ６から撮影用コンソール２に動画のデータを送信させる際に非常に時間がかかる場合がある。特にＰＡＣＳ６と撮影用コンソール２との間のデータ送信が前述したＤＩＣＯＭ（Digital Image and Communications in Medicine）に則って行われる場合があるが、ＤＩＣＯＭでのデータ送信は一般的に転送レートが遅く、時間がかかり易い。
【００７５】
そのため、例えば予めある患者の動画の撮影が行われることが分かっている場合には、例えばその患者を撮影した過去の動画のデータを、ＤＩＣＯＭに則ってデータ送信が行われるＰＡＣＳ６から、より転送レートが速いサーバー等の外部コンピューター７（図１参照）等に予め移しておく。
【００７６】
そして、撮影用コンソール２は、上記のようにして撮影オーダー情報を入手したり入力されたりした際に、ＰＡＣＳ６ではなくこの外部コンピューター７から当該過去の動画のデータを入手するように構成することが可能である。このように構成すれば、ＤＩＣＯＭに則ってＰＡＣＳ６から直接入手する場合よりも、より短い時間でデータを入手することが可能となる。
【００７７】
また、ネットワークＮに接続されている複数の外部コンピューター７等にそれぞれ過去の動画のデータをそれぞれ保存しておき、撮影用コンソール２が、その中から最も速やかにデータを転送できる所から過去の動画のデータを入手するように構成することも可能である。このように構成すれば、速やかに過去の動画のデータを入手することが可能となる。
【００７８】
［構成例３］
一方、過去の動画のデータをより短時間で速やかに入手するために、例えば、撮影用コンソール２の制御手段２１が、過去の動画の全データを入手する代わりに、当該過去の動画のうち所定の割合でデータが間引きされた過去の動画のデータを入手するように構成することも可能である。
【００７９】
その際、準画像を間引く方法としては、時間的に間引く方法と、空間的に間引く方法と、時間的及び空間的に間引く方法とがある。時間的に間引く方法とは、動画の各画像のうち、所定枚数（例えば５枚）ごとに１枚等の割合で画像を抽出し、抽出されなかった画像（すなわち例えば５枚ごとのうちの残りの４枚分のデータ）を間引く方法をいう。また、空間的に間引く方法とは、動画を構成する複数の画像それぞれについて、例えば２画素や４画素ごとに１画素等のデータを抽出し、抽出されなかったデータ（すなわち例えば２画素や４画素ごとのうちの残りの１画素や３画素のデータ）を間引く方法をいう。
【００８０】
また、時間的及び空間的に間引く方法は、両者をともに行ってデータを間引く方法をいう。なお、データを間引く割合は、上記と同様に、撮影技師が、撮影用コンソール２の表示手段２４上に表示された間引かれた過去の動画を参照して、過去の撮影でうまく行かなかった点等を確認できる割合に決められる。
【００８１】
そして、このように構成することで、撮影技師が、撮影用コンソール２の制御手段２１が撮影オーダー情報に基づいて入手して表示手段２４上で再生させて表示した、間引かれた過去の動画を参照して過去の撮影でうまく行かなかった点等を的確にフィードバックして今回の撮影をより適正に行わせることが可能となるとともに、撮影用コンソール２が入手するデータ量を低減して、過去の動画（この場合は間引かれた過去の動画）をより短い時間で速やかに入手することが可能となる。
【００８２】
［構成例４］
また、過去の動画のデータに関する情報をさらに短時間で速やかに入手することを考えた場合、例えば、撮影用コンソール２の制御手段２１が、過去の動画のデータを入手する代わりに、当該過去の動画に付帯されている（すなわち当該過去の動画に関連付けられている）解析結果や情報を入手して、表示手段２４上にその解析結果や情報を表示させるように構成することも可能である。
【００８３】
過去の動画に付帯されている解析結果としては、例えば前述した肺野領域Ｒの動態解析（胸部動態解析）の例で言えば、図６に示したような横隔膜の上下方向の高さＤや前述した心臓壁の位置の時間変化等のデータだけでなく、例えば肺野領域Ｒ（図５参照）の横幅等の時間変化や、或いは例えばそれらをさらに解析して得られる規定呼吸数（すなわち例えば呼吸３回分）の所要時間や、心拍の周期や振幅、横隔膜の上下方向の高さＤや肺野領域Ｒの横幅の最大値と最小値の差など、過去の動画に付帯されている種々の解析結果を用いることができる。
【００８４】
このように構成すれば、送信されてくる解析結果のデータ量は過去の動画のデータ量に比べればはるかに少ないため、過去の動画を入手する場合に比べて、今回撮影に関する参考情報としての解析結果をより短い時間で速やかに入手することが可能となる。また、表示手段２４に解析結果が表示されれば、撮影技師が過去の動画の解析結果を見て、撮影時に患者に適正に撮影を行うことができるように指示を与えたり、或いは撮影用コンソール２が放射線照射制御装置１２に対して設定する放射線照射条件を適切に変更して設定する等の操作を行うことが可能となる。
【００８５】
また、過去の動画には、診断用コンソール３（図１参照）で上記のような解析結果を得る際に医師が気付いた情報（すなわち例えば呼吸が浅い、心拍が弱い等）や、解析結果を得られなかった原因や所見（すなわち例えば呼吸が非常に浅く周期が速い、規定呼吸数の間姿勢を維持できない等）等の情報が付帯されている場合もある。そして、このような場合も、撮影用コンソール２の制御手段２１が、過去の動画のデータを入手する代わりに、当該過去の動画に付帯されている情報を入手して、表示手段２４上にその情報を表示させるように構成することも可能である。
【００８６】
そして、このように構成すれば、送信されてくる情報のデータ量は過去の動画のデータ量に比べればはるかに少ないため、過去の動画を入手する場合に比べて情報をより短い時間で速やかに入手することが可能となる。また、表示手段２４に情報が表示されれば、撮影技師が過去の動画に付帯されている情報を見て、撮影時に患者に適正に撮影を行うことができるように指示を与えたり、或いは立位で撮影を行うことができない患者に対しては臥位で撮影を行ったり、或いは撮影用コンソール２が放射線照射制御装置１２に対して設定する放射線照射条件を適切に変更して設定する等の操作を行うことが可能となる。
【００８７】
小児等に見られる心拍の早い患者では、撮影のフレームレートを上げたり、呼吸や心拍の規定回数分の画像を得るためのＸ線照射時間をより短く設定することも可能である。
【００８８】
［構成例５］
ところで、以上の実施形態や構成例では、撮影用コンソール２の表示手段２上に過去の動画や間引きされた過去の動画、解析結果、情報等を表示し、それを撮影技師が確認することで、過去の動画を参照して撮影をより適正に行わせる場合について説明したが、その他にも、例えば撮影用コンソール２の制御手段３１が、過去の動画に付帯されている解析結果や情報に基づいて、放射線源１１の放射線照射制御装置１２に設定すべき放射線照射条件を自動的に割り出して放射線源１１の放射線照射制御装置１２に設定するように構成することも可能である。
【００８９】
具体的には、例えば肺の換気機能を診断するために胸部動態撮影を行う場合には、３回（規定呼吸数）呼吸をする時間分だけ動画の撮影を行うとされている。そして、それを踏まえ、撮影オーダー情報で胸部動態撮影が指定されている場合には、撮影用コンソール２は、放射線源１１（図２参照）から放射線を照射する期間を例えば１５秒とするように放射線照射制御装置１２に照射期間を設定する。
【００９０】
しかし、例えば過去の動画に、患者の呼吸の周期が早く、規定呼吸数（３回）の所要時間が短い（例えば１２秒）等の解析結果や情報が付帯されているような場合には、撮影用コンソール２の制御手段２１は、放射線源１１の放射線照射制御装置１２に、短い照射期間（例えば１２秒）を設定する。
【００９１】
また、それとともに、撮影用コンソール２の制御手段２１は、放射線の照射期間が短くなっても肺野領域Ｒの時間変化を的確に撮影できるようにするために、放射線照射制御装置１２に、放射線１１から照射する放射線のパルスレートを、規定呼吸数が１５秒に設定される場合のパルスレートよりも速いパルスレートを設定する。なお、この場合、撮影用コンソール２が読取制御装置１４（図２参照）に入力する画像読取条件のうちのフレームレート等も、上記のパルスレート等の変更に応じて変更した値を入力する等の処理が行われる。
【００９２】
また、例えば過去の動画に、心拍の周期が通常の患者の心拍の周期より短い等の解析結果や情報が付帯されている場合も、撮影用コンソール２の制御手段２１は同様に処理を行うように構成することができる。
【００９３】
このように、撮影用コンソール２の制御手段２１が、過去の動画に付帯されている解析結果や情報に基づいて放射線源１１の放射線照射制御装置１２に設定すべき放射線照射条件を割り出して放射線源１１の放射線照射制御装置１２に設定するように構成することで、過去の動画を参照して撮影を適正に行わせることが可能となる。なお、割り出された放射線照射条件は、放射線照射制御装置１２だけではなく、放射線を受けて画像生成する放射線検出部１３や読取制御装置１４にも設定される。
【００９４】
なお、この場合、例えば撮影用コンソール２の表示手段２４上に、割り出した放射線の照射期間やパルスレート（フレームレート）等の放射線照射条件を表示して、撮影技師がそれを承認した場合に放射線照射条件を変更して設定するように構成することも可能である。
【００９５】
また、本発明が上記の実施形態や構成例等に限定されず、本発明の趣旨を逸脱しない限り、適宜変更可能であることは言うまでもない。
【産業上の利用可能性】
【００９６】
放射線画像撮影を行う分野（特に医療分野）において利用可能性がある。
【符号の説明】
【００９７】
２  撮影用コンソール
１１  放射線源
１３  放射線検出部（半導体イメージセンサー）
２１  制御手段（制御部）
２４  表示手段（表示部）
１００  放射線画像撮影システム
Ｄ  横隔膜の上下方向の高さ（解析結果）
Ｍ  被写体
Ｐ２〜Ｐ６  患者情報
Ｐ７、Ｐ８  撮影部位情報
【図１】
2017017985.tif 000003
【図２】
2017017985.tif 000004
【図３】
2017017985.tif 000005
【図４】
2017017985.tif 000006
【図５】
2017017985.tif 000007
【図６】
2017017985.tif 000008
【図７】
2017017985.tif 000009
【図８】
2017017985.tif 000010
【国際調査報告】
2017017985.tif 000011
2017017985.tif 000012
2017017985.tif 000013
2017017985.tif 000014